(57)【要約】【課題】プリント基板との接続信頼性を確保しつつ、側方部品接続部のレイアウト自由度を向上することの出来る、新規な構造の電気接続箱を提供すること。【解決手段】電気部品接続部５２が設けられた第二のプリント基板２２を、第一のプリント基板２０に設けた基板支持部材２６ａ，２６ｂで該第一のプリント基板２０に対して垂直に支持すると共に、前記第二のプリント基板２２をケース１６の側面７０と平行に配設することで前記電気部品接続部５２によって側方部品接続部を構成する一方、前記基板支持部材２６ａ，２６ｂに、前記第一のプリント基板２０と前記第二のプリント基板２２をボルト固定する第一のボルト固定部３０と第二のボルト固定部４０を設けた。【選択図】図２
2014165961.tif 000002
【特許請求の範囲】
【請求項１】
電気部品がケースの側方から接続される側方部品接続部が設けられた電気接続箱において、
第一のプリント基板に対して第二のプリント基板が垂直に配設されており、前記第一のプリント基板と前記第二のプリント基板が基板間接続端子で相互に接続されて前記ケースに収容されていると共に、
前記第二のプリント基板には、該第二のプリント基板に対して垂直に立設された基板端子によって構成された電気部品接続部が設けられており、前記第二のプリント基板が前記ケースの側面と平行に配設されることによって、前記電気部品接続部で前記側方部品接続部が構成されている一方、
前記第一のプリント基板には、前記第二のプリント基板が差し入れられて支持される差込孔を有する基板支持部材が設けられており、
前記基板支持部材には、前記第一のプリント基板をボルト固定する第一のボルト固定部と、前記第二のプリント基板をボルト固定する第二のボルト固定部とが設けられている
ことを特徴とする電気接続箱。
【請求項２】
前記基板支持部材には、前記差込孔への前記第二のプリント基板の差込方向と反対方向に突出して前記差込孔の内面から連続すると共に、前記第二のプリント基板における前記電気部品接続部の配設面と反対側の面に重ね合わされる支持案内面が形成されており、該支持案内面に、前記第二のボルト固定部が設けられている
請求項１に記載の電気接続箱。
【請求項３】
一方の端部が前記第二のプリント基板に半田付けされた前記基板間接続端子の他方の端部が、前記第一のプリント基板のスルーホールに挿通されて半田付けされると共に、
前記第一のプリント基板には一対の前記基板支持部材が設けられており、該一対の基板支持部材の前記差込孔の内面が、前記第二のプリント基板の側縁部が差し入れられて該第二のプリント基板を両側から挟むコの字形状とされている
請求項１又は２に記載の電気接続箱。
【請求項４】
前記基板間接続端子が合成樹脂製の台座で支持されており、該台座には、前記第一のプリント基板又は前記第二のプリント基板にボルト固定されるボルト固定部が設けられている請求項１〜３の何れか１項に記載の電気接続箱。
【請求項５】
前記第二のプリント基板と前記ケースに、前記電気部品接続部への前記電気部品の接続方向と直交する方向で相互に嵌合される凹凸嵌合部が形成されている
請求項１〜４の何れか１項に記載の電気接続箱。
【発明の詳細な説明】
【技術分野】
【０００１】
本発明は、自動車等に搭載されて、コネクタ等の電気部品が接続される電気接続箱に係り、特に、電気部品がケースの側方から接続される側方部品接続部が設けられた電気接続箱に関するものである。
【背景技術】
【０００２】
従来から、自動車等には、コネクタやヒューズ等の電気部品を集約して接続する、ジャンクションボックス等の電気接続箱が設けられている。特に近年では、より多数の電気部品を接続可能とするために、特開２０１２−１１５０５３号公報（特許文献１）に記載のように、ケースの側面をも利用して、ケースの側方から電気部品が接続可能とされた側方部品接続部が設けられたものがある。
【０００３】
ところで、自動車等に設けられる電装品は増加の一途を辿っており、電気接続箱には、より大型のコネクタや、より多数のヒューズを接続出来ることが要求されている。そこで、ケース側面に設けられた側方部品接続部についても、より大型のコネクタや、より多数のヒューズが接続出来るように、大型化することが検討されている。
【０００４】
ところが、特許文献１に記載のように、従来の電気接続箱における側方部品接続部は、基板端子として、プリント基板から突出された後にＬ字状に屈曲されたＬ字端子が用いられており、複数のＬ字端子が多段に配設されることで構成されている。それ故、側方部品接続部を大型化しようとすると、Ｌ字端子のプリント基板からの突出高さ寸法をより大きくする必要がある。しかし、Ｌ字端子をプリント基板から大きく突出させると、電気部品の挿抜に際してプリント基板からの突出高さを腕長とするより大きなモーメントがＬ字端子のプリント基板との接続部分に及ぼされることとなり、プリント基板とＬ字端子との接続信頼性が低下するおそれがあった。また、Ｌ字端子のプリント基板からの突出高さが大きくなると、プリント基板の上方に大きなスペースを占有することとなり、スペース効率の低下を招くと共に、多数のＬ字端子を密に配設するにも相互に接触するおそれが高くなる等の理由から限界があり、側方部品接続部のケース上でのレイアウト自由度が制限されるという問題があった。
【先行技術文献】
【特許文献】
【０００５】
【特許文献１】特開２０１２−１１５０５３号公報
【発明の概要】
【発明が解決しようとする課題】
【０００６】
本発明は、上述の事情を背景に為されたものであって、その解決課題は、プリント基板との接続信頼性を確保しつつ、側方部品接続部のレイアウト自由度を向上することの出来る、新規な構造の電気接続箱を提供することにある。
【課題を解決するための手段】
【０００７】
本発明の第一の態様は、電気部品がケースの側方から接続される側方部品接続部が設けられた電気接続箱において、第一のプリント基板に対して第二のプリント基板が垂直に配設されており、前記第一のプリント基板と前記第二のプリント基板が基板間接続端子で相互に接続されて前記ケースに収容されていると共に、前記第二のプリント基板には、該第二のプリント基板に対して垂直に立設された基板端子によって構成された電気部品接続部が設けられており、前記第二のプリント基板が前記ケースの側面と平行に配設されることによって、前記電気部品接続部で前記側方部品接続部が構成されている一方、前記第一のプリント基板には、前記第二のプリント基板が差し入れられて支持される差込孔を有する基板支持部材が設けられており、前記基板支持部材には、前記第一のプリント基板をボルト固定する第一のボルト固定部と、前記第二のプリント基板をボルト固定する第二のボルト固定部とが設けられていることを、特徴とする。
【０００８】
本発明においては、電気部品接続部が設けられた第二のプリント基板を第一のプリント基板に対して垂直に配設することにより、側方部品接続部を構成した。これにより、側方部品接続部の基板端子をＬ字状に屈曲させることなく、第二のプリント基板から直線状に突出させることが出来、基板端子の形状を簡素化することが出来る。その結果、Ｌ字端子を多段に配設する場合に比して、多数の基板端子をより高密度に配設することが出来ると共に、基板端子を第二のプリント基板上で高いレイアウト自由度をもって配設することが可能となり、側方部品接続部の大型化や、レイアウト自由度の向上を図ることが出来る。
【０００９】
さらに、側方部品接続部の基板端子が、第二のプリント基板から垂直に突出されることから、電気部品の挿抜に際してモーメントを生じることを回避することが出来、基板端子とプリント基板との接続部分に及ぼされる応力を低減することが出来る。その結果、基板端子の半田付け部分にクラックを生じる等のおそれを低減することが出来、接続信頼性を向上することが出来る。
【００１０】
加えて、第二のプリント基板を第一のプリント基板に対して垂直に支持する基板支持部材が、第一のプリント基板と第二のプリント基板の両方にボルト固定されている。これにより、第二のプリント基板を第一のプリント基板に対して強固に支持することが可能であり、側方部品接続部への電気部品の挿抜に際して、第一のプリント基板と第二のプリント基板を接続する基板間接続端子に及ぼされる応力を軽減することが出来る。その結果、第一のプリント基板と第二のプリント基板との接続信頼性も確保することが出来る。
【００１１】
なお、側方部品接続部は、例えば電気部品としてのコネクタが接続されるコネクタ接続部であっても良いし、電気部品としてのヒューズが装着されるヒューズ装着部でも良く、各種の電気部品に対応する任意のものが採用可能である。更に、側方部品接続部は、複数設けられていても良い。また、基板支持部材の個数は限定されるものではなく、例えば１つの基板支持部材で第二のプリント基板を支持しても良いし、２つの基板支持部材で第二のプリント基板の両側縁部を挟んで支持する等しても良い。
【００１２】
本発明の第二の態様は、前記第一の態様に記載のものにおいて、前記基板支持部材には、前記差込孔への前記第二のプリント基板の差込方向と反対方向に突出して前記差込孔の内面から連続すると共に、前記第二のプリント基板における前記電気部品接続部の配設面と反対側の面に重ね合わされる支持案内面が形成されており、該支持案内面に、前記第二のボルト固定部が設けられているものである。
【００１３】
本態様においては、第二のプリント基板を基板支持部材の差込孔に差し込む際に、第二のプリント基板を支持案内面に当接させて案内することが出来、差し込みを容易にすることが出来る。更に、側方部品接続部に電気部品が接続される場合には、第二のプリント基板が支持案内面に当接されることによって、電気部品から第二のプリント基板に及ぼされるモーメントの腕長を小さく出来ることから、第二のプリント基板をより強固に支持することが出来、第一のプリント基板との接続信頼性をより向上することが出来る。そして、支持案内面に第二のボルト固定部を設けたことにより、第二のボルト固定部をスペース効率良く形成することが出来る。
【００１４】
本発明の第三の態様は、前記第一又は第二の態様に記載のものにおいて、一方の端部が前記第二のプリント基板に半田付けされた前記基板間接続端子の他方の端部が、前記第一のプリント基板のスルーホールに挿通されて半田付けされると共に、前記第一のプリント基板には一対の前記基板支持部材が設けられており、該一対の基板支持部材の前記差込孔の内面が、前記第二のプリント基板の側縁部が差し入れられて該第二のプリント基板を両側から挟むコの字形状とされているものである。
【００１５】
本態様によれば、一対の基板支持部材で第二のプリント基板を挟むことにより、第二のプリント基板を第一のプリント基板に対して位置決めして、第二のプリント基板から突出された多数の基板間接続端子の端部を、第一のプリント基板の対応するスルーホールに位置合わせすることが出来る。これにより、多数の基板間接続端子を第一のプリント基板のスルーホールに容易に挿通することが出来る。
【００１６】
本発明の第四の態様は、前記第一〜第三の何れか１つの態様に記載のものにおいて、前記基板間接続端子が合成樹脂製の台座で支持されており、該台座には、前記第一のプリント基板又は前記第二のプリント基板にボルト固定されるボルト固定部が設けられているものである。
【００１７】
本態様によれば、側方部品接続部に電気部品が挿抜されるに際して、基板間接続端子に及ぼされる応力を、台座を通じて第一のプリント基板又は第二のプリント基板により効果的に分散させることが出来る。これにより、基板間接続端子の第一のプリント基板および第二のプリント基板に対する接続信頼性をより向上することが出来る。なお、台座は、第一のプリント基板および第二のプリント基板の何れに設けられていても良い。例えば、一方の端部が第二のプリント基板に半田付けされた基板間接続端子の他方の端部を、台座に挿通した状態で第一のプリント基板のスルーホールに挿通すると共に、台座を第一のプリント基板に重ね合わせることで台座を第一のプリント基板にボルト固定しても良い。
【００１８】
本発明の第五の態様は、前記第一〜第四の何れか１つの態様に記載のものにおいて、前記第二のプリント基板と前記ケースに、前記電気部品接続部への前記電気部品の接続方向と直交する方向で相互に嵌合される凹凸嵌合部が形成されているものである。
【００１９】
本態様によれば、側方部品接続部に電気部品が挿抜される場合には、第一のプリント基板の基板支持部材と共に、ケースでも第二のプリント基板を支持することが出来る。これにより、特に側方部品接続部に大型のコネクタが接続される場合等でも、第二のプリント基板を強固に支持して、基板間接続端子への応力の伝達を低減することが出来る。
【発明の効果】
【００２０】
本発明においては、電気部品接続部が設けられた第二のプリント基板を、第一のプリント基板に対して垂直に配設することによって、側方部品接続部を構成した。これにより、側方部品接続部を構成する基板端子を、第二のプリント基板から垂直に突出させることが出来て、基板端子の形状を簡素化することが出来る。その結果、電気部品接続部の第二のプリント基板上でのレイアウト自由度、即ち、側方部品接続部のケース上でのレイアウト自由度を向上することが出来る。そして、第二のプリント基板を支持する基板支持部材を、第一のプリント基板と第二のプリント基板の両方にボルト固定することにより、第二のプリント基板を第一のプリント基板に対して強固に支持して、電気部品の挿抜に際して基板間接続端子に及ぼされる応力を軽減することが出来、第一のプリント基板と第二のプリント基板との接続信頼性も確保することが出来る。
【図面の簡単な説明】
【００２１】
【図１】本発明の一実施形態としての電気接続箱の上面図。
【図２】図１におけるＩＩ−ＩＩ断面図。
【図３】図１に示した電気接続箱を構成するプリント基板組立体の斜視図。
【図４】基板支持部材と台座を併せ示す上面図。
【図５】基板支持部材の側面図。
【発明を実施するための形態】
【００２２】
以下、本発明の実施形態について、図面を参照しつつ説明する。
【００２３】
先ず、図１および図２に、本発明の一実施形態としての電気接続箱１０を示す。電気接続箱１０は、アッパケース１２とロアケース１４によって構成されたケース１６の内部に、プリント基板組立体１８が収容された構造とされている。以下の説明において、上方とは、図２中の上方を言い、下方とは、図２中の下方を言うものとする。
【００２４】
図３に、プリント基板組立体１８を示す。プリント基板組立体１８は、第一のプリント基板２０に、第二のプリント基板２２が垂直に組み付けられた構造とされている。第一のプリント基板２０の端部２４には、一対の基板支持部材２６ａ，２６ｂが設けられている。基板支持部材２６ａ，２６ｂは合成樹脂から形成されている。図４に、基板支持部材２６ａ，２６ｂと後述する台座４６を併せ示すと共に、図５に、基板支持部材２６ａを示す。基板支持部材２６ａ，２６ｂには略同様の形状が設けられていることから、以下、共通の形状については基板支持部材２６ａを例に説明し、基板支持部材２６ｂについては、図中に同一の符号を付することにより、その説明を省略する。
【００２５】
基板支持部材２６ａは略矩形のブロック形状とされている。基板支持部材２６ａには、下方に突出する差込突部２８が形成されている。また、基板支持部材２６ａには、ネジ孔が設けられた第一のボルト固定部３０が形成されている。第一のボルト固定部３０は、基板支持部材２６ａの後方（図４中、下方）に突出して形成されている。
【００２６】
さらに、基板支持部材２６ａには、差込孔３２が形成されている。差込孔３２は、上方および基板支持部材２６ａと基板支持部材２６ｂの対向方向に開口して形成されている。これにより、差込孔３２の内面３４は、上面視（図４参照）においてコの字形状とされている。差込孔３２の幅寸法：ｗは、第二のプリント基板２２の厚さ寸法：ｔよりもやや大きくされている。また、基板支持部材２６ａには、差込孔３２の後方側（図４中、下側）の壁部から上方に連続して突出する支持板部３６が形成されており、該支持板部３６の前方側（図４中、上側）の面によって、差込孔３２の内面３４から連続して上方に突出する支持案内面３８が形成されている。これにより、差込孔３２と第一のボルト固定部３０は、支持板部３６を挟んで互いに反対側に形成されている。支持板部３６には、ネジ孔が形成された第二のボルト固定部４０が形成されている。図示は省略するが、第二のボルト固定部４０に形成されたネジ孔は、支持案内面３８に開口されている。
【００２７】
一方、基板支持部材２６ｂには、基板支持部材２６ａと反対側（図４中、右側）に突出する長手形状の延長部４１が形成されている。そして、基板支持部材２６ｂの第一のボルト固定部３０は、延長部４１と同方向に突出して形成されている。
【００２８】
これら基板支持部材２６ａ，２６ｂは、差込突部２８が第一のプリント基板２０に貫設された図示しない貫通孔に差し込まれると共に、ボルト４２が第一のプリント基板２０を挟んで第一のボルト固定部３０に螺着されることにより、ボルト４２で第一のプリント基板２０に固定される。これにより、基板支持部材２６ａと基板支持部材２６ｂが、第一のプリント基板２０の端部２４に、互いに隙間を隔てて対向配置されている。
【００２９】
一方、第二のプリント基板２２における一方の面４３の下端部４５には、複数の基板間接続端子４４ａ〜４４ｄが突設されている。基板間接続端子４４ａ〜４４ｄは金属線材から形成されており、中間部分が直角に屈曲されたＬ字形状とされている。基板間接続端子４４ａ〜４４ｄは長さ寸法が互いに異ならされており、基板間接続端子４４ａ〜４４ｄの順に長さ寸法が大きくされている。これら基板間接続端子４４ａ〜４４ｄの一方の端部が、第二のプリント基板２２のスルーホールに挿通されて半田付けされることにより、他方の端部が、下方に向けて突出されている。
【００３０】
また、基板間接続端子４４ａ〜４４ｄは、合成樹脂製の台座４６で支持されている。台座４６は長手形状とされており、長手方向の両端部にボルト固定部４７，４７が設けられている。図４から明らかなように、台座４６の長手方向寸法は、基板支持部材２６ａと基板支持部材２６ｂの対向距離よりも小さくされている。そして、台座４６に基板間接続端子４４の第二のプリント基板２２側の端部が挿通されると共に、台座４６のボルト固定部４７，４７がボルト４８，４８で第二のプリント基板２２に固定されている。なお、特に本実施形態においては、長さ寸法の大きな基板間接続端子４４ｃ，４４ｄにおける第二のプリント基板２２からの突出先端部が、合成樹脂から形成された長手板形状を有する補助アライメント板４９に挿通されることにより、アライメント精度が確保されている。
【００３１】
さらに、第二のプリント基板２２において、基板間接続端子４４が設けられた面４３と反対側であり、電気部品接続部の配設面となる面５０の上端部５１には、電気部品接続部としてのコネクタ接続部５２が設けられている。コネクタ接続部５２は、合成樹脂からなるコネクタハウジング５４に、複数の基板端子５６が挿通された構造とされている。コネクタハウジング５４は、一方（図２中、右方）に開口する矩形の箱体形状とされており、第二のプリント基板２２の平面寸法の略半分程度の寸法を有している。基板端子５６は、金属線材や金属板から形成されており、一方の端部が第二のプリント基板２２のスルーホールに挿通されて半田付けされると共に、他方の端部がコネクタハウジング５４に貫設された端子挿通孔を通じて、コネクタハウジング５４内に突出されている。なお、基板端子５６は、直線形状やクランク形状を有しており、第二のプリント基板２２に対して垂直に立設されている。
【００３２】
コネクタハウジング５４には、係合板５８が取り付けられている。係合板５８は合成樹脂から形成された長手の板形状とされており、長手方向の中央部分には、上方に突出する凹凸嵌合部としての嵌合突部６０が形成されている。係合板５８は、長手方向の両端部がボルト６２，６２でコネクタハウジング５４に固定されている。
【００３３】
そして、コネクタハウジング５４が、基板端子５６を挿通して第二のプリント基板２２に複数のボルト６４で固定されることにより、コネクタ接続部５２が形成されている。これにより、コネクタハウジング５４は、第二のプリント基板２２に対する垂直方向に開口されている。また、コネクタハウジング５４に取り付けられた係合板５８によって、第二のプリント基板２２には、上方に突出する嵌合突部６０が設けられている。
【００３４】
このような第二のプリント基板２２は、下端部４５の両側縁部６６ａ，６６ｂが、第一のプリント基板２０に固定された基板支持部材２６ａ，２６ｂの差込孔３２，３２に対して、上方から下方に向けてそれぞれ差し込まれる。これにより、第二のプリント基板２２が基板支持部材２６ａ，２６ｂの差込孔３２，３２の内面３４，３４で幅方向（図４中、左右方向）の両側から挟まれて第一のプリント基板２０に対して位置合わせされると共に、第二のプリント基板２２から突出された基板間接続端子４４ａ〜ｄのそれぞれの端部が、第一のプリント基板２０に形成されたスルーホールと位置合わせされて挿通される。そして、第二のプリント基板２２の面４３が基板支持部材２６ａ，２６ｂの支持案内面３８と重ね合わされて、面５０側からボルト６８，６８で基板支持部材２６ａ，２６ｂの第二のボルト固定部４０に固定されることにより、第二のプリント基板２２が、基板支持部材２６ａ，２６ｂで第一のプリント基板２０に対して垂直に支持される。更に、第一のプリント基板２０のスルーホールに挿通された基板間接続端子４４ａ〜ｄが半田付けされる。これにより、第一のプリント基板２０と第二のプリント基板２２が、基板間接続端子４４ａ〜ｄを介して相互に電気的に接続されて、プリント基板組立体１８が形成されている。
【００３５】
このようなプリント基板組立体１８が、合成樹脂から形成されたアッパケース１２とロアケース１４で形成されたケース１６に収容されている。これにより、第二のプリント基板２２が、ケース１６の側面７０と平行に配設されている。アッパケース１２には、ケース１６の側方（図２中、右方）に開口する開口部７２が形成されており、第二のプリント基板２２のコネクタ接続部５２が開口部７２に配設される。開口部７２の上側の内面には、下方に開口する凹凸嵌合部としての嵌合凹部７４が形成されており、アッパケース１２がプリント基板組立体１８の上方から被せられることによって、第二のプリント基板２２に設けられた嵌合突部６０が、嵌合凹部７４内に挿入されて上下方向で凹凸嵌合される。なお、嵌合突部６０は、好ましくは、嵌合凹部７４に圧入される。そして、第二のプリント基板２２が、ケース１６の側面７０と平行に配設されることにより、コネクタハウジング５４が、開口部７２を通じてケース１６の側方に突出されて、ケース１６の側方に開口されている。これにより、コネクタ接続部５２には、ケース１６の側方から電気部品としてのコネクタ７６が接続可能とされており、コネクタ接続部５２によって、側方部品接続部が構成されている。
【００３６】
本実施形態に従う構造とされた電気接続箱１０においては、コネクタ接続部５２が設けられた第二のプリント基板２２を、第一のプリント基板２０に対して垂直に配設することにより、第二のプリント基板２２のコネクタ接続部５２によって、ケース１６の側方からコネクタ７６を接続可能とする側方部品接続部が構成されている。これにより、コネクタ接続部５２を構成する基板端子５６を、Ｌ字形状に屈曲することなく、第二のプリント基板２２から垂直に突出する簡素な形状とすることが出来る。これにより、多数の基板端子５６を高密度に配設することも容易になると共に、例えば本実施形態のように、コネクタ接続部５２を第二のプリント基板２２において第一のプリント基板２０から最も離れた上端部５１に配設する場合でも、第一のプリント基板２０からＬ字端子を突出させてコネクタ接続部５２まで延出する場合に比して、短い基板端子５６でスペース効率良く配設することが出来て、コネクタ接続部５２のレイアウト自由度を向上することが出来る。
【００３７】
さらに、基板端子５６の第二のプリント基板２２からの突出方向（図２中、左右方向）が、コネクタ接続部５２へのコネクタ７６の挿抜方向（図２中、左右方向）と等しくされていることから、コネクタ７６の挿抜力に対して有効な抗力を得ることが出来、第二のプリント基板２２および第一のプリント基板２０との接続信頼性を有利に確保することが出来る。加えて、第一のプリント基板２０と第二のプリント基板２２の両方が、基板支持部材２６ａ，２６ｂに対してボルト固定されていることから、コネクタ７６の挿抜力に対して、第二のプリント基板２２を強固に支持することが出来る。更に、第二のプリント基板２２に接続された基板間接続端子４４ａ〜ｄが、第二のプリント基板２２にボルト固定された台座４６で支持されることから、コネクタ７６の挿抜に際して基板間接続端子４４ａ〜ｄに及ぼされる応力を台座４６でより効果的に分散することが出来る。これにより、第一のプリント基板２０と第二のプリント基板２２の間での接続信頼性も高度に確保することが出来る。
【００３８】
また、本実施形態においては、第二のプリント基板２２に設けられた嵌合突部６０とアッパケース１２に設けられた嵌合凹部７４が、コネクタ７６の挿抜方向と直交する方向で凹凸嵌合されていることから、コネクタ７６の挿抜に際して、第二のプリント基板２２を、コネクタハウジング５４を介してアッパケース１２でも支持することが出来、第一のプリント基板２０との接続部分への挿抜力の伝達をより効果的に抑えることが出来る。特に、嵌合突部６０と嵌合凹部７４からなる凹凸嵌合部と、基板支持部材２６ａ，２６ｂで第二のプリント基板２２の上下方向の両端部を支持することにより、効果的な支持力を得ることが出来る。
【００３９】
また、基板支持部材２６ａ，２６ｂには、第二のプリント基板２２を差し込む差込孔３２，３２が形成されており、これら差込孔３２，３２の内面３４，３４が、第二のプリント基板２２を挟むコの字形状とされていることから、差込孔３２，３２に第二のプリント基板２２を差し込むことによって、第二のプリント基板２２を、第一のプリント基板２０に対して位置合わせすることが出来る。これにより、第二のプリント基板２２に半田付けされた多数の基板間接続端子４４ａ〜ｄを、第一のプリント基板２０のスルーホールに容易に位置合わせすることが出来て、スルーホールへの挿通作業を容易にすることが出来る。特に、差込孔３２の内面３４から連続する支持案内面３８を設けたことにより、第二のプリント基板２２を支持案内面３８に当接させることで差込孔３２への差し込みも容易に行なうことが出来る。また、コネクタ７６の挿抜時においては、支持案内面３８で第二のプリント基板２２を支持することによって、より大きな支持力を得ることも出来る。そして、第二のプリント基板２２を基板支持部材２６ａ，２６ｂにボルト固定する第二のボルト固定部４０を、支持案内面３８に設けたことによって、第二のボルト固定部４０を基板支持部材２６ａ，２６ｂにスペース効率良く形成することが出来る。
【００４０】
以上、本発明の実施形態について詳述したが、本発明はその具体的な記載によって限定されない。例えば、側方部品接続部は、各種の電気部品の接続部が採用可能であり、前記実施形態の如きコネクタ接続部のみならず、例えば電気部品としてのヒューズが接続されるヒューズ接続部や、電気部品としてのリレーが接続されるリレー接続部等でも良い。更に、側方部品接続部を複数設けることも可能であり、そのような場合には、同種の接続部が複数設けられていても良いし、例えばコネクタ接続部とヒューズ接続部のように、異種の接続部が設けられても良い。また、基板支持部材の数は限定されることはなく、例えば１つの基板支持部材で第二のプリント基板を支持する等しても良い。
【００４１】
また、台座は必ずしも必要ではないが、台座を第一のプリント基板側に設けても良く、例えば基板間接続端子における第一のプリント基板側の端部を、台座を挿通した状態で第一のプリント基板のスルーホールに挿通することで台座を第一のプリント基板に重ね合わせて第一のプリント基板にボルト固定する等しても良い。
【００４２】
さらに、前記実施形態において嵌合突部６０と嵌合凹部７４で構成された凹凸嵌合部は必ずしも必要ではないが、例えばコネクタハウジング５４に嵌合突部６０を一体形成したり、嵌合突部６０が形成された係合板５８を第二のプリント基板２２に直接に固定する等しても良いし、第二のプリント基板２２自体に突出部分を設けて、該突出部分を嵌合突部とする等しても良い。
【符号の説明】
【００４３】
１０：電気接続箱、１６：ケース、２０：第一のプリント基板、２２：第二のプリント基板、２６ａ，ｂ：基板支持部材、３０：第一のボルト固定部、３２：差込孔、３４：内面、３８：支持案内面、４０：第二のボルト固定部、４４ａ〜ｄ：基板間接続端子、４６：台座、５０：面（電気部品接続部の配設面）、５２：コネクタ接続部（電気部品接続部、側方部品接続部）、５６：基板端子、６０：嵌合突部（凹凸嵌合部）、６６ａ，ｂ：側縁部、６８：ボルト（第二のプリント基板）、７０：側面、７４：嵌合凹部（凹凸嵌合部）、７６：コネクタ（電気部品）
【図１】
2014165961.tif 000003
【図２】
2014165961.tif 000004
【図３】
2014165961.tif 000005
【図４】
2014165961.tif 000006
【図５】
2014165961.tif 000007